(57)【要約】  本発明は端末装置の分野に関し、特に、移動端末用の画面、その画面を有する移動端末、及び、複数の移動端末を寄せ集めることによって形成された組合型端末装置に関する。移動端末用の画面は、概ね矩形であり、Ｌ：Ｗ≧２．５となるように調整される。そうすると、本発明の画面は、同じ幅であれば、より大きい面積を表示することができる。複数の移動端末を寄せ集めることによって形成される組合型端末装置の画面は、適当な数量の移動端末を寄せ集め、また寄せ集める移動端末の長さと幅を調整することにより、Ａ４用紙に対応する比率を実現できることを驚くことに発見した。また、出版物の資料を表示する時に現れられた黒い領域を殆ど消去することができる。複数の移動端末が寄せ集められるとき、本発明は、幅が大きすぎて片手操作できないという問題と同時に、刊行物の資料を表示するときに黒い領域が現れるという問題を解決する。【選択図】図５
2018503317.tif 000002
【特許請求の範囲】
【請求項１】
移動端末のための画面であって、
前記画面は、ほぼ矩形であり、かつ、Ｌを前記画面の長さ、Ｗを前記画面の幅とすると、Ｌ：Ｗ≧２．５となる
画面。
【請求項２】
請求項１に記載の画面において、
Ｌ：Ｗ＝（２０５〜２１５）：［（２９０〜３０４）／ｎ］となり、ただし、ｎは正の整数であり、かつ、ｎ≧４である
画面。
【請求項３】
請求項２に記載の画面において、
ｎは、ｎ≦６である
画面。
【請求項４】
請求項２に記載の画面において、
ｎは、４或いは５である
画面。
【請求項５】
請求項１乃至４のいずれかに記載の画面において、
Ｗは、１５０ｍｍ≧Ｗ≧３０ｍｍであり、選択的に、Ｗは、９０ｍｍ≧Ｗ≧５０ｍｍである
画面。
【請求項６】
請求項２乃至４のいずれかに記載の画面において、
Ｌは、２０５〜２１５ｍｍである
画面。
【請求項７】
請求項６に記載の画面において、
Ｗは、５８〜６１ｍｍであり、選択的に、Ｗは、６０ｍｍであり、Ｌは、２１０ｍｍである
画面。
【請求項８】
請求項６に記載の画面において、
Ｗは、７２〜７６ｍｍであり、選択的に、Ｗは、７４ｍｍであり、Ｌは、２１０ｍｍである
画面。
【請求項９】
移動端末のための画面であって、
前記画面は、ほぼ矩形であり、かつ、Ｌを前記画面の長さ、Ｗを前記画面の幅、ｎを２以上の正の整数とすると、Ｌ：Ｗ＝（２０５〜２１５）：［（２９０〜３０４）／ｎ］となる
画面。
【請求項１０】
請求項９に記載の画面において、
ｎは、２或いは３である
画面。
【請求項１１】
請求項９または１０に記載の画面において、
Ｌは、２０５〜２１５ｍｍである
画面。
【請求項１２】
請求項１乃至１１のいずれかに記載の画面を含む移動端末であって、
前記画面の幅方向では、前記移動端末における対向して設置される２つの側辺は、額縁レス、或いは幅が１ｍｍより小さい狭額縁に形成されている
移動端末。
【請求項１３】
請求項１２に記載の移動端末において、
前記画面の長手方向では、前記移動端末における対向して設置される２つの側辺の少なくとも１つは、額縁レス、或いは狭額縁に形成されている
移動端末。
【請求項１４】
請求項１２に記載の移動端末において、
前記移動端末は、携帯電話機、或いはタブレットＰＣである
移動端末。
【請求項１５】
請求項１２乃至１４のいずれかに記載された移動端末が、前記画面の幅方向にＮ個寄せ集められ、前記Ｎ個の移動端末の前記画面が全体として単一矩形画面を形成する
組合型端末装置。
【請求項１６】
請求項１５に記載の組合型端末装置において、
Ｎの値は、ｎと同じである
組合型端末装置。
【請求項１７】
移動端末のための画面であって、
前記画面は、ほぼ矩形であり、かつ、前記画面の長さと幅の少なくとも一方は、２０５〜２１５ｍｍである
画面。
【請求項１８】
複数の移動端末が一列に寄せ集められた組合型端末装置であって、
前記複数の移動端末の対応する複数の画面は、ほぼ矩形であり、それぞれの長さ或いは幅が同じ大きさであり、前記複数の移動端末は、前記同じ大きさの長さ或いは幅で寄せ集められて全体として単一矩形画面を形成し、前記同じ大きさの長さ或いは幅が前記単一矩形画面の幅として２０５〜２１５ｍｍであり、前記単一矩形画面の長さとして２９０〜３０４ｍｍである
組合型端末装置。
【発明の詳細な説明】
【技術分野】
【０００１】
本発明は、移動端末に関し、特に移動端末のための画面、その画面を有する移動端末、及び、複数の移動端末を寄せ集めることによって形成された組合型端末装置に関する。
【背景技術】
【０００２】
従来技術では、携帯電話機の画面アスペクト比を１６：９や１６：１０に固定することが一般である。画面を片手で操作することを可能とするためには、この時の画面面積は一般的に小さく、例えば３．５インチであることから、大面積に対するニーズが十分に満たされない。
【発明の概要】
【発明が解決しようとする課題】
【０００３】
しかしながら、画面の表示面積が十分に大きく、例えば５．５インチが設置されると、上記アスペクト比に制限があるため、画面の幅が大きすぎて、片手操作ができなくなる。
【０００４】
また、画面が上記のアスペクト比に従って設置される場合には、大部分がＡ４用紙の大きさである出版物の文書を表示すると、画面の周囲に黒い領域が残されてしまうことが多い。故に、表示効果に影響があるともに、画面が最大限に利用されなかった。
【０００５】
なお、携帯電話機は、旧製品を新しいものに交替することが早く、利用者による携帯電話機の交替回数も一層多くなる。旧携帯電話機の投棄は、資源の浪費だけでなく、深刻な環境問題も生じてしまう。現在の市場では、特に良い解決方法がまだ存在していないが、その方法としては携帯電話機を回収することが一般的である。しかしながら、この場合に、不要になった携帯電話機を再生させるコストが高くなり、回収と再生による二次汚染の恐れがある。
【課題を解決するための手段】
【０００６】
本願の発明者らは、上記の従来技術を分析する時に、特定の画面のアスペクト比とすることにより、従来技術に存在し、一見すれば互いに関連していない複数の問題を同時に解決することができることを偶然に発見した。
【０００７】
本発明の一側面によれば、移動端末のための画面であって、前記画面は、ほぼ矩形であり、かつ、Ｌを前記画面の長さ、Ｗを前記画面の幅とすると、Ｌ：Ｗ≧２．５となる画面が提供される。
【０００８】
さらに、Ｌ：Ｗ＝（２０５〜２１５）：［（２９０〜３０４）／ｎ］であり、ただし、ｎは正の整数であり、かつ、ｎ≧４である。
【０００９】
さらに、ｎは、ｎ≦６である。
【００１０】
さらに、ｎは、４或いは５である。
【００１１】
さらに、Ｗは、１５０ｍｍ≧Ｗ≧３０ｍｍであり、選択的に、Ｗは、９０ｍｍ≧Ｗ≧５０ｍｍである。
【００１２】
さらに、Ｌは、２０５〜２１５ｍｍである。
【００１３】
さらに、Ｗは、５８〜６１ｍｍである。またさらに、Ｗは、６０ｍｍであり、Ｌは２１０ｍｍである。
【００１４】
さらに、Ｗは、７２〜７６ｍｍである。またさらに、Ｗは、７４ｍｍであり、Ｌは、２１０ｍｍである。
【００１５】
本発明は、さらに、移動端末のための画面であって、前記画面は、ほぼ矩形であり、かつ、Ｌを前記画面の長さ、Ｗを前記画面の幅、ｎを２以上の正の整数とすると、Ｌ：Ｗ＝（２０５〜２１５）：［（２９０〜３０４）／ｎ］となる画面を提供する。
【００１６】
さらに、ｎは、２或いは３である。
【００１７】
さらに、Ｌは、２０５〜２１５ｍｍである。
【００１８】
本発明の他の側面によれば、上記技術方案の１つに記載の画面を含む移動端末であって、
前記画面の幅方向では、前記移動端末における対向して設置される２つの側辺は、額縁レス、或いは幅が１ｍｍより小さい狭額縁に形成されている移動端末が提供される。
【００１９】
さらに、前記画面の長手方向では、前記移動端末における対向して設置される２つの側辺の少なくとも１つは、額縁レス、或いは狭額縁に形成されている。
【００２０】
さらに、前記移動端末は、携帯電話機である。
【００２１】
本発明のさらに他の側面によれば、上記技術方策の１つに記載された移動端末が、前記画面の幅方向にＮ個寄せ集められ、前記Ｎ個の移動端末の前記画面が全体として単一矩形画面を形成する組合型端末装置が提供される。
【００２２】
さらに、Ｎの値は、ｎと同じである。
【００２３】
同時に、本発明は、移動端末のための他の画面であって、前記画面は、ほぼ矩形であり、かつ、前記画面の長さと幅の少なくとも一方は、２０５〜２１５ｍｍである画面を提供する。
【００２４】
その一方で、本発明は、複数の移動端末が一列に寄せ集められた組合型端末装置であって、前記複数の移動端末の対応する複数の画面は、ほぼ矩形であり、それぞれの長さ或いは幅が同じ大きさであり、前記複数の移動端末は、前記同じ大きさの長さ或いは幅で寄せ集められて全体として単一矩形画面を形成し、前記同じ大きさの長さ或いは幅が前記単一矩形画面の幅として２０５〜２１５ｍｍであり、前記単一矩形画面の長さとして２９０〜３０４ｍｍである組合型端末装置を提供する。
【発明の効果】
【００２５】
そして、以上の本発明の技術方案の説明を踏まえて、本発明の技術方案によれば、従来技術における表示比率が１６：９や１６：１０（即ち、アスペクト比が１．７８或いは１．６である）の画面に比べると、本発明に係る画面のアスペクト比を少なくとも２．５に設置できることがわかる。そのため、本発明の画面は、より細長い形状である。そうすると、本発明の画面は、同じ幅であれば、より大きい面積を表示することができる。
【００２６】
言い換えると、本発明の画面は、同じ表示面積であれば、比較的小さい幅を有し、人々が片手操作を便宜に行うことができる。
【００２７】
そして、本発明は、画面を従来技術に比べて大幅に長くしたことで、このような画面により携帯電話機の利用者が容易に片手操作を行えるとともに、一列の寄せ集めに限られないが、複数の画面を用いて一列に寄せ集めることによりＡ４用紙に対応する比率を実現できることを驚くことに発見した。また、利用者は、携帯電話機について旧製品を新しいものに交替するがこのような複数の画面を有する携帯電話機をそのまま利用したい場合に、これらの携帯電話機を前述の通りに寄せ集めて、組合型端末装置を形成することができる。
【００２８】
通常は、ＣＰＵ或いは記憶容量の不足などの画面と関係しない他の理由により、本発明に係る画面を有する携帯電話機が利用者に使い捨てられることが理解できる。本発明の提供したこの特定のアスペクト比を有する画面は、使い捨てられた旧携帯電話機に対応する利用価値を提供した。これは旧携帯電話機を含む複数の携帯電話機を組合型端末装置に寄せ集める時に、旧携帯電話機の画面の表示性能を主に利用し、この組合型端末装置における他の能力を、該組合型端末装置に性能がより良い新しい携帯電話機により提供可能であるためである。
【００２９】
特に、画面の１つの主な性能は利用者に資料を読ませることであり、適当な数量の移動端末を寄せ集め、組合型端末装置の画面をほぼＡ４用紙の比率にする際に、Ａ４用紙の比率に準ずる出版物の資料を表示する時に現れられた黒い領域を殆ど消去することができる。従って、寄せ集められた画面によりＡ４用紙の比率の資料をユーザが便宜に読み、旧携帯電話機の利用価値を大幅に向上させることができる。
【００３０】
以下には、図面を参照しながら、本発明の具体な実施例を詳しく説明し、当業者にとって本発明の上記目的、利点及び特徴及び他のものをより明確にする。
【図面の簡単な説明】
【００３１】
以下では、図面を参照しながら、限定的な形態でなく、模式的な形態で本発明の幾つか具体的な実施例を詳細に説明する。
【００３２】
【図１】本発明の一実施例による２つの側が額縁レスになっているタブレットＰＣである２つの移動端末からなる組合型端末装置の模式図である。
【図２】本発明の一実施例による２つの側が額縁レスになっている携帯電話機である３つの移動端末からなる組合型端末装置の模式図である。
【図３】本発明の一実施例による２つの側が額縁レスになっている２つのタブレットＰＣと１つの携帯電話機から構成された３つの移動端末からなる組合型端末装置の模式図である。
【図４】本発明の一実施例による２つの側が額縁レスになっている１つのタブレットＰＣと１つの携帯電話機から構成された２つの移動端末からなる組合型端末装置の模式図である。
【図５】本発明の一実施例による２つの側が額縁レスになっている５つの移動端末からなる組合型端末装置の模式図である。
【図６】本発明の他の実施例による２つの側が額縁レスになっている４つの移動端末からなる組合型端末装置の模式図である。
【図７】本発明の他の実施例による３つの側が額縁レスになっている４つの移動端末からなる組合型端末装置の模式図である。
【図８】図６に示した２つの側が額縁レスになっている移動端末の模式図である。
【図９】図７に示した３つの側が額縁レスになっている移動端末の模式図である。
【発明を実施するための形態】
【００３３】
図５に示されるように、本発明によって提供される組合型端末装置３０は、画面１０の幅方向に沿って５つの移動端末２０が寄せ集められることによって形成されており、寄せ集められるとき、個々の移動端末２０は、画面１０の長さＬが組合型端末装置の幅Ｗ’となるように、整列される。図５において、移動端末２０は携帯電話機であり、他の実施例では、移動端末２０はタブレットＰＣであってもよい。
【００３４】
図６は、本発明の他の実施例による組合型端末装置の模式図である。図６における組合型端末装置３０は、４つの移動端末２０が寄せ集められることによって形成されている。図６における移動端末２０の２つの長辺は、額縁レスである。
【００３５】
図７は、本発明のさらに他の実施例による組合型端末装置の模式図である。図７における組合型端末装置３０は、同様に４つの移動端末２０が寄せ集められることによって形成されている。図７における移動端末２０の２つの長辺と１つの短辺は、額縁レスである。
【００３６】
図５、図６、および図７では、組合型端末装置の長さＬ’及び幅Ｗ’は、それぞれ、全て２９７ｍｍ及び２１０ｍｍである。即ち、図５における移動端末２０の幅Ｗは５９．４ｍｍ、長さＬは２１０ｍｍで、Ｌ：Ｗ＝３．５であり、図６における移動端末２０の幅Ｗは７４．２５ｍｍ、長さＬは２１０ｍｍで、Ｌ：Ｗ＝２．８であり、図７における移動端末２０の幅Ｗは同様に７４．２５ｍｍ、長さＬは同様に２１０ｍｍで、Ｌ：Ｗ＝２．８である。図５〜図７における組合型端末装置により出版物の資料を表示する場合に、全画面による表示だけではなく、黒い領域がないように表示を行うことができるとともに、この時のフォントは、出版物である紙のフォントの大きさと同じである。
【００３７】
図５〜図７における組合型端末装置は、狭額縁の移動端末を使用し、それらを画面の幅方向に沿って寄せ集めることによって形成されたものであってもよい。ここで、例えば、幅が１ｍｍより小さい額縁は狭額縁として定義してよく、勿論、額縁の幅は必要に応じて変更可能である。本発明の技術案によれば、本発明に、図５と図６に示した画面における幅方向の２つ側辺を額縁レスとする移動端末２０を利用することが好ましく、この時に、各移動端末２０の寄せ集め箇所は、読むことへ影響を与えない。しかし、画面の幅方向の２つの側辺の幅が増加すると、漸次に読むことへ悪い影響を与える恐れがある。
【００３８】
図８は、図６における移動端末の模式図である。図８に示した移動端末２０は、画面１０を有し、画面の幅方向に対向して配置された２つの側辺が額縁レスの形式となっている。図８では、ｘ方向は画面の長手方向であり、ｙ方向は画面の幅方向である。
【００３９】
図９は、図７における移動端末の模式図である。図９に示した移動端末２０は、画面１０を有し、画面の幅方向に対向して配置された２つの側辺（長辺）および上部の側辺（短辺）が額縁レスの形式となっている。この点では、上部の側辺（短辺）に置かれていた当初配置されたカメラ、マイクロフォン、光センサは、必要に応じて、移動端末２０の他の位置、例えば、背面或いは下部の側辺が画面と交差する領域に設計されてよい。勿論、他の実施例では、下部の側辺（短辺）が、額縁レスの形式としてもよく、その点では、上部の側辺（短辺）に置かれていた当初配置されたカメラ、マイクロフォン、光センサは、そのままのままである。
【００４０】
以下では、特に、本願の移動端末２０の画面１０について記述する。
【００４１】
画面１０は、移動端末２０上で使われる。図５〜図９に見られるように、画面１０は、ほぼ矩形であり、Ｌを画面の長さ、Ｗを画面の幅とすると、Ｌ：Ｗ≧２．５となるように調整されている。従って、本発明の画面１０は、細長い形状である。そして、本発明の画面１０は、同じ幅であればより大きな表示面積を有する。即ち、換言すれば、本発明の画面１０は、同じ表示面積であれば、より小さい幅を有することから、人々による片手操作を容易にすることができる。さらに、利用者が携帯電話機を片手で操作しやすいと同時に、複数の画面を用いて一列の寄せ集めによりＡ４用紙に対応する比率を実現し易い。
【００４２】
本発明の一実施例によれば、当該矩形の画面のアスペクト比は、以下のように制限されてもよい。
Ｌ：Ｗ＝（２０５〜２１５）：［（２９０〜３０４）／ｎ］，      （１）
ただし、ｎは正の整数、かつ、ｎ≧２である。
そうすれば、ｎ個の移動端末２０を寄せ集めて、組合型端末装置３０を形成すると、組合型端末装置３０のアスペクト比が（２９０〜３０４）／（２０５〜２１５）である。つまり、移動端末２０を寄せ集めて形成される組合型端末装置３０の表示エリアのアスペクト比がほぼ２９７：２１０に等しいことから、フォントの大きさに関わらず、画面１０が全画面にて黒い領域がないように出版物の資料を表示することができる。
【００４３】
本発明の好ましい実施例では、ｎは、６以下である。そして、ｎの値が４或いは５である場合には、画面１０が比較的大きな表示面積を有すると共に、画面１０が細長すぎることによる移動端末２０の使用に影響を与えることを防止することができる。
【００４４】
本発明の好ましい実施例では、Ｗが５８〜６１ｍｍであり、Ｌが２０５〜２１５ｍｍである。特に、Ｗが６０ｍｍであり、Ｌが２１０ｍｍである場合に、５つの移動端末２０を寄せ集め、アスペクト比がほぼ２９７：２１０である組合型端末装置３０を形成することができる。Ｗが７２〜７６ｍｍであり、Ｌが２０５〜２１５ｍｍであり、特に、Ｗが７４ｍｍであり、Ｌが２１０ｍｍである場合に、４つの移動端末２０を寄せ集め、アスペクト比がほぼ２９７：２１０である組合型端末装置３０を形成することができる。
【００４５】
本発明に係る画面１０と移動端末２０によれば、大きな表示面積を有すると共に、片手操作に特に適合できる。複数の移動端末２０を寄せ集めた組合型端末装置３０は、そのアスペクト比がほぼ２９７：２１０であり、全画面にて黒い領域がないように出版物の資料を表示することができる。
【００４６】
上記においては、式（１）により説明された、移動端末の画面のアスペクト比に対する限定条件は、比較的細長い画面（例えば、アスペクト比が２．５以上である画面）に限定されておらず、他の限定条件として自由に採用されてもよい。例えば、式（１）について、図１〜図２に示すように、ｎの値が２或いは３であってもよい。この時、当該アスペクト比がほぼ１．４１と２．１２である。この場合に、単一画面がそれほど細長くはなく、画面を依然としてＡ４用紙の比率となるように寄せ集めることが可能である。特に、２つ或いは３つ上記の画面を寄せ集め、Ａ４用紙の実際の大きさとほぼ同じである画面を形成する場合には、当該画面の長さＬが２０５〜２１５ｍｍとなる。
【００４７】
さらに、理解するべきところは、単純に、Ａ４用紙の実際の大きさとほぼ同じである画面を寄せ集めるために、移動端末の画面が矩形であり、ただし、長さ或いは幅が２０５〜２１５ｍｍである。複数の移動端末を一列に寄せ集めて組合型端末装置３０を形成する場合に、これらの移動端末の長さ或いは幅が同じ大きさを有し、かつ、２０５〜２１５ｍｍの間に値を取る。そして、これらの移動端末を、当該同じ大きさの長さ或いは幅に従って寄せ集める場合に、寄せ集められた単一矩形の画面が全体的に２０５〜２１５ｍｍの幅を有すると共に、寄せ集められた単一矩形の画面の長さが２９０〜３０４ｍｍである。これは、寄せ集める移動端末の数量を適当に選択したり、異なる長さを他の側に有する移動端末を選択したりすることにより実現される。典型的には、当該組合型端末装置３０は、１つの携帯電話機と１つのタブレットＰＣを組み合わせ、或いは、１つの携帯電話機と２つのタブレットＰＣとを組み合わせることによりなされる。
【００４８】
以上より、当業者にとって理解するべきところは、本明細書に本発明の複数の例示性の実施例を詳しく記述したが、本発明の趣旨や範囲を逸脱しない限り、本発明の開示する記載によって本発明の原理に該当する他の変形や変更を直接に取得し、或いは導出することができると言うまでもない。そのため、本発明の範囲は、これらの他の変形や変更が本願の範囲に所属していると理解されるべきである。
【図１】
2018503317.tif 000003
【図２】
2018503317.tif 000004
【図３】
2018503317.tif 000005
【図４】
2018503317.tif 000006
【図５】
2018503317.tif 000007
【図６】
2018503317.tif 000008
【図７】
2018503317.tif 000009
【図８】
2018503317.tif 000010
【図９】
2018503317.tif 000011
【国際調査報告】
2018503317.tif 000012
2018503317.tif 000013
2018503317.tif 000014
2018503317.tif 000015